(57)【要約】【課題】着脱が容易で、体型が異なってもバストアップ効果が発揮でき、後両脇、背中部分、お尻、後太腿部分の肉の盛り上がりによる段差を解消するボディスーツを提供する。【解決手段】バスト部と、ウェストニッパー部及びロングガードル部が一体となったボディスーツであって、バスト部には乳房が自由に開放できる開口部があり、その周囲の補助布が乳房を固定するとともに、強力布と弾力布の二重縫い込みのウェストニッパー部には、前面縦方向にファスナーがあって開閉自在となっており、強力布と弾力布からなるロングガードル部でヒップアップ効果がもたらされる。【選択図】図１
0003105864.tif 000002
【実用新案登録請求の範囲】
【請求項１】
バスト部と、ウェストニッパー部及びロングガードル部が一体となったボディスーツであって、前記バスト部には乳房が自由に開放されるよう開口部があり、該開口部の下縁と両側縁にはバストアップして乳房を固定するための補助布が設けられていることを特徴とするボディスーツ。
【請求項２】
ウェストニッパー部は、バスト部の下縁に縫着され、強力布と弾力布との二重縫込みとなっているとともに、該ウェストニッパー部前面には、縦方向にファスナーが取付けられ、左右両前身頃の上半が開閉自在となっていることを特徴とする請求項１記載のボディスーツ。
【請求項３】
ロングガードル部は、ヒップ部と左右の脚筒部からなり、強力布からなるヒップ部はウェストニッパー部の下縁に縫着されており、左右の両脚筒部は強力布からなる上半がヒップ部に縫着されており、該脚筒部の弾力布からなる下半は膝上までとなっていることを特徴とする請求項１又は２記載のボディスーツ。
【考案の詳細な説明】
【技術分野】
【０００１】
着脱が容易で、被着感が良好であり、さらに体型の補整機能に優れたボディスーツに関するものである。
【背景技術】
【０００２】
従来の女性用の補整下着として、ブラジャー，ブラジャー付きボディスーツ，ウェストニッパー，ガードル等があり、多種類の下着を身に着けることにより、ウェストで何重にも締め付けていた。このようにウェストを多重の布で締め付けるとぜい肉による段差が生じたり、皮膚の黒ずみ、腰痛が生じたりする恐れがあり、女性のプロポーションと健康を損ねる問題があった。
【０００３】
従来の体型補整ブラジャー付きボディスーツでは乳房をしっかり包み込み固定していないため、乳房が垂れ下がる問題があった。
【０００４】
また、従来のボディスーツでは、後両脇、背中部分の肉の盛り上がりによって段差が生じ易かった。
【０００５】
さらに、従来のボディスーツでは、ヒップ，後太腿部分の肉の盛り上がりによる段差が生じ易かった。
【０００６】
また、従来のボディスーツでは着脱の動作が必ずしも容易でないものが多かった。
【０００７】
バスト補整下着として、これまでのブラジャーの概念を崩し、ブラジャーの基本元形を保ちながらも、バストをフリーに開放する開口を設けることに加え、背中部を高い位置にし、更にバスト周辺部、背中部に適宜の圧力を加えることによって、バスト及びバスト周辺のぜい肉を開口部の外側に引き出し、形崩れのないバストを実現する考案が開示されている。しかし、この考案はヒップ部の体型補整については必ずしも十分ではなかった。
【特許文献１】登録実用新案第３０８９８３３号公報
【０００８】
ブラジャー部と、ウェストニッパー部とガードル部からなるボディスーツであって、前身頃のブラジャー部を除いて全体を内側布と外側布の二重構造に形成し、前記ブラジャー部は内側布に連結し、前記外側布は、略中央部に縦方向のファスナーを設けてウェストより上方が左右に開閉可能に形成し、前記内側布は、外側布より伸縮度の高い生地で形成したことを特徴とする考案が開示されている。
本考案では、バスト部の形状、容量が限定されているため、自分の体型に合わない場合があり、またヒップ部の体型補整も不十分であった。
【特許文献２】登録実用新案第３０３０８２３号公報
【考案の開示】
【考案が解決しようとする課題】
【０００９】
いろいろな体型の人でもバストアップ効果とヒップアップ効果が得られるとともに、後両脇、背中部とヒップ，後太腿部分の肉の盛り上がりによる段差を解消し、しかも着脱容易なボディスーツを提供する。
【課題を解決するための手段】
【００１０】
（１）バスト部分と、ウェストニッパー部及びロングガードル部が一体となったボディスーツであって、前記バスト部には乳房が自由に開放されるよう開口部があり、該開口部の下縁と両側縁にはバストアップして乳房を固定するための補助布が設けられていることを特徴とするボディスーツである。
【００１１】
バストは伸縮性の補助布によって開口部に押し出され固定されるため、いろいろ異なった体型のバストでもバストアップを効果的に実現することができる。
【００１２】
（２）ウェストニッパー部は、バスト部の下縁に縫着され、強力布と弾力布の二重縫込みとなっているとともに、該ウェストニッパー部前面には、縦方向にファスナーが取付けられ、左右両前身頃の上半が開閉自在となっていることを特徴とする前項（１）記載のボディスーツである。
【００１３】
後両脇、背中の盛り上がった肉を強力布と弾力布を重ねて縫い込むことでしっかり包み込み肉の段差を解決しようとするものである。後両脇、背中部分の肉の盛り上がりを包み込むため、背中を中心にしたＵ字形パターンではなく背中部分の上縁は水平な直線となっている。
【００１４】
ファスナーを取付けることでボディスーツの着脱を容易にするとともに、ファスナーを締め上げることで左右の両前身頃を引き締め、バストアップ効果をより高めることができる。
【００１５】
（３）ロングガードル部は、ヒップ部と左右の両脚筒部からなり、強力布からなるヒップ部はウェストニッパー部の下縁に縫着されており、左右の両脚筒部は強力布からなる上半がヒップ部に縫着されており、該脚筒部の強力布からなる下半は膝上までとなっていることを特徴とする前項（１）又は（２）記載のボディスーツである。
【００１６】
強力布からなるヒップ部でヒップアップ効果が得られるとともに、ヒップ部に続く強力布と弾力布からなる左右両脚筒部があるため、両尻、後太腿の肉の段差と垂れ尻の問題を解決した。
【考案の効果】
【００１７】
本考案のカップなしの体型補整型ボディスーツは、胸部分を補助布で保持し、垂れ下がりを解決する。女性特徴の流動体をしっかり包み込みバストアップも自然に保持できる。また、肩紐による肩こりも解消し、胸部の美観が向上する。
【００１８】
胸部分から前下腹まで約３０センチメートルのファスナーを取付けることで、強力布、弾力布の重ね縫い込みも容易になり、着脱も便利となり、背中、両脇下をしっかり包み込み肉の段差が解消できる。また、胴回り下腹部分も、ファスナー付きボディスーツ１枚により女性特徴の流動体をしっかい固定し、下半身用ハード下着を幾重にも重ね着することなく、本考案のファスナー付きボディスーツで胴まわり、下腹部分をしっかり締めることができる。さらに不愉快な腰痛や、胴まわりの皮膚の黒ずみも解消する。
【００１９】
さらに、後ろ尻部分、後太腿部分の肉の段差を解消し、ヒップアップ効果があり、女性らしい丸みのお尻を強調することができる。
【考案を実施するための最良の形態】
【００２０】
本考案を実施するための最良の形態について、以下の実施例を図面に基づいて説明することとした。
【実施例１】
【００２１】
図１は本考案のボディスーツの正面図である。本考案のボディスーツ１は、バスト部Ａ，ウェストニッパー部Ｂ，ロングガードル部Ｃから構成されている。
バスト部Ａには、乳房が自由に開放されるよう左右にそれぞれ開口部２，２があり、該開口部２，２の下縁と両側縁には伸縮性の補整布４，４があって乳房を包み込みバストアップして固定する。
【００２２】
左右の吊り紐３，３の下端はそれぞれ伸縮性のテープ７に接続するが、テープ７は吊り紐３，３の中間の位置でＶ字形に下がりＶ字形の下端近くに補助布４，４の内側の端が縫着されている。補助布４，４の内側の端は、乳首の位置より若干下になるようにするのが望ましい。テープ７の背中側は水平に一直線となっており、背中の肉の段差を解消する。
【００２３】
ウェストニッパー部Ｂの上端は、バスト部Ａの下縁となる補助布４，４に縫着されている。補助布４，４の下縁にはワイヤーを使わない替わりに２〜３ｃｍの厚めの縫い込みをする。
【００２４】
左右の前身頃５，５の下端部は互いに縫着されているが、前身頃５，５の上端からへそ下１０ｃｍ位迄ファスナーが取付けられ、左右に開閉できるようになっている。
【００２５】
左右の前身頃５，５には補強のため伸縮性のテープ７が下半部に縫い付けられ略六角形の部分が形成され、この六角形の中央部には上下に細長くメッシ１０が配置され通気性が保たれるようになっている。
【００２６】
ロングガードル部Ｃの上端ヒップ部１１は強力布からなるとともにウェストニッパー部Ｂの下端に縫着されているが、前身頃５，５と接する部分は伸縮性のテープ７で補強されている。
【００２７】
左右の脚筒部１２，１２の上半は強力布からなるとともに、ヒップ部１１に縫着されている。脚筒部１２，１２は中間の縫着線８，８で上下の部分に区分され、上半は強力布からなり、下半は弾力布からなっている。これはヒップアップの効果を高めるとともに着用感をより快適にするためである。
【００２８】
左右の脚筒部１２，１２の中間の股下部はメッシが用いられているが開閉可能の股下布１３が設けられている。
【００２９】
左右両脚筒部１２，１２の下端にはそれぞれマチ縫い込み１４，１４があり、伸縮しやすくし着心地も良くしている。
【００３０】
図２は、本考案のボディスーツの背面図である。
肩紐３及びテープ７は伸縮性の材料で構成されている。強力布と弾力布からなる後身頃６，６は、互いに縫着線８の部分で互いに縫着されている。
【００３１】
図３は、バスト部Ａの開口部２の附近の側断面図である。前身頃５で締め付けられた補助布４によって乳房Ｄがバストアップされて固定されている。
【００３２】
図４は、ウェストニッパー部Ｂと、ロングガードル部Ｃの上半部分の側断面図で、ファスナー９の金具を引き下げて、ウェストニッパー部Ｂの前身頃５の上半を開放した状態を示した。
【００３３】
図５は、図４の状態からファスナー９の金具を引き上げて前身頃５の上半を閉じた状態を示した。
【産業上の利用可能性】
【００３４】
従来のボディスーツは大変窮屈なものが多かったが、本考案のボディスーツは着脱が容易でしかも着用感が快適であり、腰痛，肩こりや皮膚の黒ずみ等を避けることができ、特に、後両脇、背中部分のぜい肉による段差を防止できる等の特徴があり、３０代から５０代以降の女性に最適の補整用下着である。
【図面の簡単な説明】
【００３５】
【図１】本考案に係るボディスーツの正面図である。
【図２】本考案に係るボディスーツの背面図である。
【図３】本考案に係るボディスーツの開口部附近の側断面図である。
【図４】本考案に係るボディスーツのウェストニッパー部及びロングガードル部上半の側断面図である。
【図５】本考案に係るボディスーツのウェストニッパー部及びロングガードル部上半の側断面図である。
【符号の説明】
【００３６】
Ａ  バスト部
Ｂ  ウェストニッパー部
Ｃ  ロングガードル部
Ｄ  乳房
１  ボディスーツ
２  開口部
３  吊り紐
４  補助布
５  前身頃
６  後身頃
７  テープ（伸縮性）
８  縫着線
９  ファスナー
１０  メッシ
１１  ヒップ部
１２  脚筒部
１３  股下布
１４  マチ縫い込み
【図１】
0003105864.tif 000003
【図２】
0003105864.tif 000004
【図３】
0003105864.tif 000005
【図４】
0003105864.tif 000006
【図５】
0003105864.tif 000007